(57)【特許請求の範囲】
【請求項１】
エアゾール容器本体のビード部の外周面に、バルブ装置を装着したバルブケースをクリンプするエアゾール容器であって、前記バルブケースの側面外周に、ビード部に当接する内面に丸め込んだ湾曲部を形成すると共に、該湾曲部の先端に、分離具を係合するためのカール部を形成したことを特徴とする分別廃棄可能なエアゾール容器。
【請求項２】
エアゾール容器本体の開口に掛止溝を形成し、この掛止溝にバルブを被うバルブケースの側面外周を、外側から当接してカシメるタイプのエアゾール容器において、前記バルブケースの側面外周の先端に、分離具を係合するためのカール部を形成したことを特徴とする分別廃棄可能なエアゾール容器。
【請求項３】
前記カール部に代えて、肉厚部を形成したことを特徴とする請求項１又は２記載の分別廃棄可能なエアゾール容器。
【請求項４】
前記バルブケースの側面外周に、スコアーを形成したことを特徴とする請求項１又は２又は３記載の分別廃棄可能なエアゾール容器。
【請求項５】
前記カール部又は肉厚部に、栓抜きの作用点を係合し、栓抜きの支点でステムの先端を押圧できるように、カール部又は肉厚部とステム及びバルブの位置関係を調整したことを特徴とする請求項１から４記載のいずれか１項記載の分別廃棄可能なエアゾール容器。
【発明の詳細な説明】
【０００１】
【発明の属する技術分野】
この発明は分別廃棄可能な容器に関し、さらに詳しくは容器を廃棄する際に、エアゾール容器本体とバルブケースとを、容易に分離廃棄可能な容器に関する。
【０００２】
【従来の技術】
従来の技術としては、図８に示すようなエアゾール容器があり、このエアゾール容器本体５０の開口部には、外方向に先端がカールされたビード部５１が形成され、このビード部５１には中央部にバルブ装置５２を装着したマウンティングカップ５３がクリンチされている。具体的には、マウンティングカップ５３の環状溝部５４の下方に連続する側面部５５を、クリンチ機のクリンチ爪５６で外方向に押し広げることにより、ビード部５１下方の内面壁５７に当接して、マウンティングカップ５３は、堅固にエアゾール容器本体の開口部にクリンチされている。
【０００３】
【発明が解決しようとする課題】
しかしながら、このような従来のエアゾール缶にあっては、エアゾール容器本体５０と、マウンティングカップ５３とが堅固に嵌合しているため、マウンティングカップ５３は、エアゾール容器本体５０の内部から受ける内圧に対しては十分に耐えることができるが、内容物がなくなった後に、容器を廃棄する場合において、マウンティングカップ５３をエアゾール容器本体５０から取り外す作業が頗る困難であるという欠点があった。特に、女性、子供にとっては、取り外し作業は不可能であった。このため、従来は、容器本体に穴を開けただけで、バルブ装置５２の付いたマウンティングカップ５３を、エアゾール容器本体５０に嵌合したままの状態で廃棄されることが多かった。又小型エアゾール容器にあっては、バルブケースをエアゾール容器本体に嵌合したままの状態で廃棄されることが多かった。
【０００４】
しかし、近年、エアゾール容器のリサイクルがエアゾール業界および消費者間において活発化するにつれて、バルブ装置およびマウンティングカップ、或いはバルブケースと、エアゾール容器本体とを分離して廃棄することが要求されると共に、その廃棄の際には、バルブ装置およびマウンティングカップ、或いはバルブケースとの容易な取り外しと、分別回収が要求されるに至った。
【０００５】
この発明は、このような従来の課題に着目してなされたもので、エアゾール容器等の容器の廃棄の際に、バルブ装置を取り付けたマウンティングカップ或いはバルブケースと、容器本体とを容易に分離できる、分別廃棄可能なエアゾール容器を提供することを目的をする。
【０００６】
【課題を解決するための手段】
この課題を解決するため、この発明の第１の実施形態は、エアゾール容器本体のビード部の外周面に、バルブ装置を装着したバルブケースをクリンプするエアゾール容器であって、バルブケースの側面外周に、ビード部に当接する内側に丸め込んだ湾曲部を形成すると共に、湾曲部の先端に、分離具を係合するためのカール部を形成したことを特徴とする分別廃棄可能なエアゾール容器である。
【０００７】
第２の実施形態は、エアゾール容器本体の開口に掛止溝を形成し、この掛止溝にバルブを被うバルブケースの側面外周を、外側から当接してカシメるタイプのエアゾール容器において、バルブケースの側面外周の先端に、分離具を係合するためのカール部を形成したことを特徴とする分別廃棄可能なエアゾール容器である。
【０００８】
又、第３の実施形態は、カール部に代えて、肉厚部を形成したことを特徴とする分別廃棄可能なエアゾール容器である。
【０００９】
第４の実施形態は、バルブケースの側面外周に、スコアーを形成したことを特徴とする分別廃棄可能なエアゾール容器である。
【００１０】
さらに、第５の実施形態は、カール部又は肉厚部に、栓抜きの作用点を係合し、栓抜きの支点でステムの先端を押圧できるように、カール部又は肉厚部とステム及びバルブの位置関係を調整したことを特徴とする分別廃棄可能なエアゾール容器である。
【００１１】
【発明の実施の形態】
次に、この発明の実施の形態を図面に基づいて説明する。図１は、この出願に係る分別廃棄可能なエアゾール容器の第１の実施形態を示した図面である。図１中、１はエアゾール容器本体であり、このエアゾール容器本体１の開口には、ビード部２が形成されている。そして、このビード部２には、いわゆる王冠状のバルブケース３がクリンプされている。そして、この王冠状のバルブケース３の中央部には、バルブ装置４が装着され、かつバルブケース３の中央孔からステム９が突出している。
【００１２】
又、王冠状のバルブケース３の側面外周５には、ビード部２に外側から当接できるように、内側に丸め込んだ湾曲部６が形成されている。すなわち、この湾曲部６で、バルブケース３がビード部２に確実に係合されている。そして、この湾曲部６の先端には、湾曲部６の下端において、外方向にカール部７が形成されている。このカール部７の形成方法は、湾曲部６の下端が、ロール又はプレスカール等による成形方法で形成される。さらに、ビード部２にクリンプされた王冠状のバルブケース３は、カール部７とエアゾール容器本体１との間に、分離具８が挿入できる程度の隙間が形成されている。なお、ビード部２と側面外周５との間には、ガスケット１０が挿入されることにより、内容物の漏洩が防止されている。
【００１３】
次に、図２は第２の実施形態を示した図面である。図２中、１１はエアゾール容器本体であり、このエアゾール容器本体１１の開口には、掛止溝１２が形成されており、この掛止溝１２の内周面にはバルブ１４が上方から挿入され固定されている。そして、バルブケース１３の中央孔からステム１９が突出された状態で、バルブケース１３が上方からバルブ１４を覆うように被せられている。このバルブケース１３の側面外周１５の先端には、第１の実施形態と同様にカール部１７が形成されている。このようなタイプのエアゾール容器にあっては、バルブケース１３の側面外周１５を、掛止溝１２にカシメることにより、バルブケース１３は容器本体１１の口部に確実に取り付けられている。
【００１４】
図３は、第３の実施形態を示す図面である。この実施形態の特徴は、第１の実施形態（図１）において、バルブケース３の側面外周５の先端に形成したカール部７に代えて、肉厚部２７を形成したものである。この肉厚部２７の製造方法は、例えば鍛造加工で、バルブケース３を薄肉に形成し、この薄肉の周囲を厚肉（元の板厚）に形成したものを、コイン状に打ち抜き、その後絞り加工することにより製造される。
【００１５】
図４は、第４の実施形態を示す図面である。この実施形態の特徴は、第１の実施形態から第３の実施形態のいずれかにおいて、バルブケース２３の側面外周２５に、縦条のスコア２８を形成したものである。スコア２８の数については任意に決定することができる。
【００１６】
図５は、第２の実施形態の他の実施例を示す図面である。この実施例の特徴は、第２の実施形態（図２）において、バルブケース１３の側面外周１５の先端に形成したカール部１７に代えて、肉厚部２９を形成したものである。その他の構成は第２の実施形態と同様である。
【００１７】
図６及び図７は、第５の実施形態を示したもので、図６は栓抜き３０の作用点３１を、カール部３２に係合し、かつ栓抜き３０の支点３３をステム３４に係合可能としたものである。すなわち、ステム３４及びバルブ３５の位置を、バルブケース３６の天面部から下方に位置せしめたもので、図６に示すように、バルブケース３６のハウジングケース３７を下方に位置するように、変形せしめた点に特徴がある。又、図７は、この第５の実施形態の他の実施例を示すもので、バルブケース３８の側面外周３９を、掛止溝４０にカシメるタイプのエアゾール容器に適用したもので、バルブケース３８の天面内側を、図７に示すように凹状に変形することにより、ステム３４及びバルブ３５を下方に位置せしめたものである。なお、栓抜きが利用できる位置関係の調整手段として、実施形態に示すように、バルブケースを変形させる方法の他に、ステムの長さを極力短くすることにより、栓抜きの支点が、ステムに当接するように調整を図ることもでき（図示せず）、又栓抜きの形状を、当接可能なように特別に変形せしめることにより、調整を図ることができる（図示せず）。
【００１８】
次に、この発明の作用について説明する。この発明に係る分別廃棄可能な容器を廃棄する場合は、第１の実施形態から第３の実施形態にあっては、棒状の分離具８の先端をカール部又は肉厚部と、容器本体との隙間に挿入する。次に、棒状の分離具８の先端を支点として、分離具８を上方に持ち上げることにより、ハウジングケースをビード部又は掛止部から容易に取り外すことができる。又、図６及び図７に示す第５の実施形態にあっては、栓抜きの作用点を、カール部又は肉厚部に係合し、かつ支点をステムに当接することにより、ステムを押圧しながら、容器本体内の残留ガスを放出し、それと同時にバルブケースを、ビード部又は肉厚部から取り外すことができる点において特有の作用を呈する。
【００１９】
【発明の効果】
以上説明してきたように、この発明によれば、エアゾール容器の容器本体からバルブ装置の付いたバルブケースを女性、子供が容易に取り外すことができるので、容器を廃棄する際に、分別廃棄が可能となる効果を有する。
【図面の簡単な説明】
【図１】この出願に係る第１の実施形態を示す断面図。
【図２】この出願に係る第２の実施形態を示す断面図。
【図３】この出願に係る第３の実施形態を示す断面図。
【図４】この出願に係る第４の実施形態を示す断面図。
【図５】この出願に係る第２の実施形態の他の実施例を示す図面である。
【図６】この出願に係る第５の実施形態を示す断面図。
【図７】この出願に係る第５の実施形態の他の実施例を示す断面図。
【図８】従来のマウンティングカップを、ビード部にクリンチした状態を示す断面図。
【符号の説明】
１  １１  容器本体
２  ビード部
３  １３  ２３  バルブケース
４  １４  ３５  バルブ
５  １５  ２５  側面外周
６  湾曲部
７  １７  ３２  カール部
８  分離具
９  １９  ３４  ステム
１２  掛止溝
２７  ２９  肉厚部
２８  スコア
３０  栓抜き
３１  作用点
３３  支点
【図１】
0003978859.tif 000002
【図２】
0003978859.tif 000003
【図３】
0003978859.tif 000004
【図４】
0003978859.tif 000005
【図５】
0003978859.tif 000006
【図６】
0003978859.tif 000007
【図７】
0003978859.tif 000008
【図８】
0003978859.tif 000009